(57)【要約】【課題】高齢者や子供など力のない人に、快適な生活を送ってもらうため、簡単に飲料水の入った、ボトルのキャップや缶の蓋を開けられる器具を提供する。【解決手段】ボトルのキャップの設置中空部７を楕円形にし、上部に平板３を形成することで、器具のキャップへの設置が簡単で、スムーズにボトルのキャップを開けられることができる。先端がＵ字になったプルトップのリングに差込む突起物９・９アと、プルトップを押え缶の蓋を開く突起物１０を設け握手部８を手前に引くことで、器具を容易に缶に設置でき、小さな力でスムーズに缶の蓋を開けることができる。【選択図】図１
0003157998.tif 000002
【実用新案登録請求の範囲】
【請求項１】
器具の上部、先端付近に２箇所の突起物を設け、１つは先端がＵ字形になった突起物（９）（９ア）とし、プルトップのリングに突起物（９ア）を差込み、もう一方の突起物（１０）を、プルトップのリングとペレット（１１）を中心に反対側のプルトップに設置し、握手部（８）を手前に引くと、突起物（１０）がプルトップを押し缶の開口部が開き、握手部（８）を元に戻すと、突起物（９）の先端Ｕ字部（９ア）の上部がプルトップのリングを押え、リングを元の位置に戻すことを特徴とする器具の構造。
【考案の詳細な説明】
【技術分野】
【０００１】  本考案は高齢化が進む中、高齢者や子供など手や腕などに力のない人が、飲料水などを飲む際、ボトルのキャップや缶の蓋を開ける時、簡単に小さな力で開けられ、快適な生活を送るための一助となる器具である。
【背景技術】
【０００２】  従来から、いろんなボトルのキャップやプルトップを開ける器具が発明・考案されていが、現在多様なボトルのキャップや缶の蓋を、簡単に開けることに対応できているとは言えず、飲料水などを買うのをためらう場合もあり、高齢者が生活に不便さを感じていると思われる。簡単に開けられることにより購買意欲が増し、経済効果も考えられので、より取扱いの簡単な器具になるよう工夫することが重要になってきている。【０００３】  例えば、器具の中空部分でキャップを挟み、握手部先端でプルトップを開ける器具が提案されている。（特許文献１）【０００４】  また、器具の先端をプルトップのリングに差込み、器具下部に缶の開口可能な蓋部に当たる位置に押圧片を形成された器具が提案されている。（特許文献２）
【先行技術文献】
【特許文献】
【０００５】
【特許文献１】特開２００８−２４９０３５号公報
【特許文献２】特開２００２−０３７２５３号公報
【考案の概要】
【考案が解決しようとする課題】
【０００６】  しかしながら、上記特許文献１にあっては、器具がキャップに接して開ける部分の摩擦面が、一方が曲面で相対する面が凸凹で不十分であり摩擦力が小さい。なおかつ、器具をキャップに固定するのが不安定であり時間がかかる。【０００７】  また、上記特許文献１のようにプルトップを引き起こすのに、爪をつけるだけでは、不安定であり不完全である。【０００８】  また、上記特許文献２のように、缶の開口可能な蓋部に接する位置に、押圧片を固定した場合、缶の蓋部が下がることにより、押圧片が下がり、押圧片がすべったり保持が出来ないため、蓋の開き方が不完全であるという問題点がある。
【課題を解決するための手段】
【０００９】  そこで、本考案は、器具の片方の端を軸しとて、２方向に分割した、左右部を既存のボトルのキャップの径より短めにし、上下部を既存のボトルのキャップの径より長めとした、左右に開閉できる、楕円形の弾性素材を有した締付け部と、締付け部から伸びた開くことの出来る２つの握手部からなり、握手部を開き締付け部をボトルのキャップに設置し、握手部を締めると締付け部がキャップを締付け、器具を回すとキャップの半径より長い半径で回すことにより、小さな力でキャップを開けることが出来る。【００１０】  ボトルのキャップを設置する中空部上部に、左右対称の半楕円形平板を形成する事により、器具の設置を速やかに、行うことが出来る。【００１１】  器具のキャップ締付け部の片方の先端に、先がＵ字になった突起部を設け、プルトップのリングに、突起部のＵ字部になった箇所を当てることにより、速やかに器具の設置位置が決まる。他方、プルトップのリング部とペレットを中心に、反対側プルトップ部分に突起物が当たるような箇所に、器具に突起物を設けプルトップに当て、握手部を手前に引き下げる。
【考案の効果】
【００１２】  本考案の器具は、ボトルのキャップ締付け部の上下部を、既存のボトルのキャップの径より長くし、左右部を既存のボトルのキャップの径より短くし、器具の先端を軸として開くことの出来る楕円形にすることで、多くのボトルのキャップに、器具の設置が可能になり、キャップの中心を芯としてキャップの半径より長い半径で器具を回すことにより、少さな力でキャップが開けられ、又、キャップを締付ける中空部上部に、左右対称２箇所に半楕円形の平板を形成することにより、器具のボトルのキャップへの設置がスムーズに出来る。【００１３】  器具の先端付近に２箇所の突起物を設け、１つは先端をＵ字にした突起物とし、Ｕ字部をブルトップのリングに差込むことで、スムーズに器具の位置を決めることができ、もう一方の突起物を、プルトップのペレットを中心に、リング反対側プルトップに当て、握手部を手前に引くと、てこの原理で簡単に缶の蓋を開けることができ、握手部を元の位置に戻すと、Ｕ字部の上部がリングを押えて、プルトップのリングがスムーズに元の位置に戻る。
【図面の簡単な説明】
【００１４】
【図１】ボトルのキャップ及び缶の蓋を開ける器具の平面図である。
【図２】ホトルのキャップを開ける使用方法を示す説明図
【図３】缶の蓋を開ける使用方法を示す説明図
【考案を実施するための形態】
【００１５】  以下、本考案の実施の形態について具体的に説明する。
【００１６】  図１は、本考案の器具の平面図であり、現在ボトルのキャップの径がある程度の長さの範囲内にあるので、ボトルのキャップに接触する左右の部分１の最小寸法を、既存のボトルのキャップの径より短めにし、軸６を芯として締付け部より伸びた２つの握手部８を開く事により、キャップに接触する部分１の最小寸法が、キャップの径より長くなる。
【００１７】  ボトルのキャップに接する上下の部分２の最小寸法を、既存のボトルのキャップの径より長めにする事により、微妙に異なるボトルのキャップへの器具の設置が可能になる。
【００１８】  ボトルのキャップの締付部は、金属部５とその内側に弾性材４を固定した楕円形とする。
【００１９】  ボトルのキャップを設置する中空部７上部に、左右対称の半楕円形平板３を形成する事により、器具の設置が簡単になり、キャップを中心に握手部８を締めて回すと、キャップの半径より大きな半径でキャップを回すことができ、小さな力で開けられる。
【００２０】  器具の上部の、先端付近に突起物９を設け、先端をＵ字形にすることでＵ字部９アをプルトップのリング内側に簡単に設置が出来、他方、プルトップのリング部とペレット１１を中心に、反対側プルトップ部分に当たるような突起物１０を設け、器具を固定し握手部８を手前に引くと、Ｕ字部９アがプルトップのリングを引上げ、突起物１０がプルトップを押し、プルトップが缶の開口部を押す力が増し、容易に開口できる。
【００２１】  開口が終わったら、器具に元に戻すような力を加えると、突起物９のＵ字部９ア上部がプルトップのリングを押えリングを元の位置に戻す。
【符号の説明】
【００２２】１        ボトルのキャップに接触する部分
２        ボトルのキャップに接する部分
３        平板部
４        弾性材
５        金属材
６        器具の軸
７        ボトルの設置中空部
８        握手部
９、９ア  先端がＵ字になった突起部
１０      プルトップ押圧突起部
１１      ペレット
【図１】
0003157998.tif 000003
【図２】
0003157998.tif 000004
【図３】
0003157998.tif 000005